【誤訳訂正書】
【提出日】令和3年10月22日(2021.10.22)
【誤訳訂正１】
【訂正対象書類名】明細書
【訂正対象項目名】００７６
【訂正方法】変更
【訂正の内容】
【００７６】
「任意の（ｏｐｔｉｏｎａｌ）」または「必要に応じて（ｏｐｔｉｏｎａｌｌｙ）」とは、その後に記載される事象または状況が起こっても起こらなくてもよいこと、ならびにその記載が上記事象または状況が起こる場合およびそれが起こらない場合を含むことを意味する。例えば、「必要に応じて置換されたアルキル」とは、そのアルキル基が置換されていてもされていなくてもよいこと、ならびにその記載が、置換されたアルキル基および置換を有しないアルキル基の両方を含むことを意味する。
【誤訳訂正２】
【訂正対象書類名】特許請求の範囲
【訂正対象項目名】全文
【訂正方法】変更
【訂正の内容】
【特許請求の範囲】
【請求項１】
以下の構造（Ｉ）：
【化２４】
2019523787.tif 000001
またはその立体異性体、塩もしくは互変異性体を有し、ここで：
Ｍは、各存在において、独立して、蛍光または有色部分であり；
Ｐ1は、各存在において、独立して、２個の正に荷電している部分を含む骨格のセクションであり；
Ｐ2は、各存在において、独立して、該蛍光または有色部分が結合される該骨格のセクションであり；
Ｌ1は、各存在において、独立して、ｉ）任意のアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ2は、各存在において、独立して、非存在、該骨格のセクション、またはＰ2をＲ2にもしくはＰ2をＲ3に連結するリンカーであり；
Ｌ3は、各存在において、独立して、Ｐ1をＰ2に連結する任意のリンカーであり；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、スルフヒドリル、ジスルフィド、Ｎ−スクシンイミドエステル、イミドエステル、ポリフルオロフェニルエステル、イソチオシアネート、アルキルアジド、アシルアジド、アルキン、アルケン、ジエン、ジエノフィル、酸ハライド、スルホニルハライド、ホスフィン、α−ハロアミド、ビオチン、アミノ、若しくはマレイミド官能基を含む部分、または以下の構造：
2019523787.tif 000002
のうちの１つから選択される部分であり、ここで：
Ｘは、ハロであり；および
ＥＷＧは、電子求引基であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；そして
ｎは、１またはこれより大きな整数である、ポリマー。
【請求項２】
Ｐ1は、以下の構造：
2019523787.tif 000003
のうちの１つを有し、ここで：
Ｒは、ＨまたはＣ1−Ｃ6アルキルであり；
ｘは、０〜６の整数であり；そして
ｍは、１またはこれより大きな整数であるが、ただしｍは、Ｐ1が少なくとも２個の正に荷電している部分を含むように選択される、
請求項１に記載のポリマー。
【請求項３】
Ｌ1の少なくとも１個の存在に関して、Ｌ1−Ｍは、以下の構造：
2019523787.tif 000004
のうちの１つを有し、ここでＬ1aおよびＬ1bは、各々独立して、任意のリンカーである、請求項１に記載のポリマー。
【請求項４】
Ｌ1は、各存在において、独立して、任意のアルキレンまたはヘテロアルキレンリンカーである、請求項１または２のいずれか１項に記載のポリマー。
【請求項５】
Ｌ2およびＬ3は、各存在において、独立して、Ｃ1−Ｃ6アルキレン、Ｃ2−Ｃ6アルケニレンまたはＣ2−Ｃ6アルキニレンである、請求項１〜４のいずれか１項に記載のポリマー。
【請求項６】
Ｒ2およびＲ3は、各々独立して、ＯＨまたは−ＯＰ（＝Ｒa）（Ｒb）Ｒcである、請求項１〜５のいずれか１項に記載のポリマー。
【請求項７】
Ｒ2またはＲ3のうちの一方は、ＯＨまたは−ＯＰ（＝Ｒa）（Ｒb）Ｒcであり、Ｒ2またはＲ3のうちの他方は、ＱまたはＱへの共有結合を含むリンカーである、請求項１〜５のいずれか１項に記載のポリマー。
【請求項８】
Ｒ2またはＲ3のうちの一方は、ＯＨまたは−ＯＰ（＝Ｒa）（Ｒb）Ｒcであり、Ｒ2またはＲ3のうちの他方は、核酸、核酸ポリマー、アミノ酸、アミノ酸ポリマー、酵素、レセプター、レセプターリガンド、抗体、糖タンパク質、アプタマー、若しくはプリオンへの共有結合、またはポリマービーズ若しくは非ポリマービーズへの共有結合を含む、請求項１〜５のいずれか１項に記載のポリマー。
【請求項９】
前記有色または蛍光部分は、各存在において、独立して、ジメチルアミノスチルベン、キナクリドン、フルオロフェニル−ジメチル−ＢＯＤＩＰＹ、ｈｉｓ−フルオロフェニル−ＢＯＤＩＰＹ、アクリジン、テリレン、セキシフェニル、ポルフィリン、ベンゾピレン、（フルオロフェニル−ジメチル−ジフルオロボラ−ジアザ−インダセン）フェニル、（ビス−フルオロフェニル−ジフルオロボラ−ジアザ−インダセン）フェニル、クアテルフェニル、ビ−ベンゾチアゾール、ター−ベンゾチアゾール、ビ−ナフチル、ビ−アントラシル、スクアライン、スクアリリウム、９，１０−エチニルアントラセンまたはター−ナフチル部分である、請求項１〜８のいずれか１項に記載のポリマー。
【請求項１０】
前記有色または蛍光部分は、各存在において、独立して、ｐ−ターフェニル、ペリレン、アゾベンゼン、フェナジン、フェナントロリン、アクリジン、チオキサントレン、クリセン、ルブレン、コロネン、シアニン、ペリレンイミド、もしくはペリレンアミドまたはその誘導体である、請求項１〜９のいずれか１項に記載のポリマー。
【請求項１１】
前記有色または蛍光部分は、各存在において、独立して、クマリン染料、レゾルフィン染料、ジピロメテンボロンジフルオリド染料、ルテニウムビピリジル染料、エネルギー移動染料、チアゾールオレンジ染料、ポリメチンまたはＮ−アリール−１，８−ナフタルイミド染料である、請求項１〜１０のいずれか１項に記載のポリマー。
【請求項１２】
前記有色または蛍光部分は、各存在において、独立して、ピレン、ペリレン、ペリレンモノイミドもしくは６−ＦＡＭまたはその誘導体である、請求項１〜１１のいずれか１項に記載のポリマー。
【請求項１３】
前記有色または蛍光部分は、各存在において、独立して、以下の構造：
【化２９】
2019523787.tif 000005
のうちの１つを有する、請求項１〜１２のいずれか１項に記載のポリマー。
【請求項１４】
以下の構造：
2019523787.tif 000006
2019523787.tif 000007
のうちの１つを有し、ここで：
ｘは、各存在において、独立して、１またはこれより大きな整数であり、ただし、ｘは、
少なくとも１つの整数値ｙに関して、前記化合物が少なくとも２個の正に荷電している部分を含むように選択され；
ｙは、２またはこれより大きな整数であり；
Ｒ2、Ｒ3、及びＬ1は、請求項１に従って定義され；および
Ｆは、以下の構造：
2019523787.tif 000008
を有する蛍光部分である、ポリマー。
【請求項１５】
サンプルを染色するための方法であって、該方法は、該サンプルに、請求項１〜１４のいずれか１項に記載のポリマーを、該サンプルが適切な波長で照射される場合に光学的応答を生じるために十分な量で添加する工程を包含する方法。
【請求項１６】
前記光学的応答は、蛍光応答であり、前記サンプルは、細胞を含み、および前記方法は、細胞をフローサイトメトリーによって観察する工程をさらに含む、請求項１５に記載の方法。
【請求項１７】
分析物分子を視覚的に検出するための方法であって、該方法は、
（ａ）請求項１〜１４のいずれか１項に記載のポリマーを提供する工程であって、該ポリマーが、該分析物分子への共有結合を含む工程；および
（ｂ）該ポリマーをその視覚的特性によって検出する工程、
を包含する方法。
【請求項１８】
分析物分子を視覚的に検出するための方法であって、該方法は、
（ａ）Ｒ2またはＲ3は、ＱまたはＱへの共有結合を含むリンカーである請求項５に記載のポリマーと、該分析物分子とを混合する工程；
（ｂ）Ｑと該分析物分子上の相補的基との反応によって該化合物および該分析物分子の結合体を形成する工程；ならびに
（ｃ）該結合体をその視覚的特性によって検出する工程、
を包含する方法。
【請求項１９】
請求項１〜１４のいずれか１項に記載のポリマーおよび１もしくはこれより多くの分析物分子を含む、組成物。
【請求項２０】
前記１もしくはこれより多くの分析物分子の検出のための分析方法における請求項１９に記載の組成物の使用。
【請求項２１】
請求項１〜１４のいずれか１項に記載のポリマーおよびシクロデキストリンを含む、組成物。